(57)【要約】【課題】洗浄終了後、元の初期水位に復帰させるまでに要する給水量の低減を図ることのできる水洗大便器を提供する。【解決手段】水洗大便器１は、ジェット孔６とトラップ入口を有するボウル部２と、トラップ入口と排水経路を連通するトラップ管路と、ボウル部２へ洗浄水を流下させるリム部４と、ジェット孔６用の洗浄水を貯留するジェット用洗浄水タンク８と、ジェット孔６へ洗浄水を供給、停止するジェット用排水弁９と、ジェット用排水弁９からジェット孔６へ洗浄水を導くジェット用導水路１０と、リム部４用の洗浄水を貯留するリム用洗浄水タンク１１と、リム部４へ洗浄水を供給、停止するリム用排水弁１２と、リム用排水弁１２からリム部２へ洗浄水を導くリム用導水路１３と、を備えている。ジェット用導水路１０はトラップ入口の上端部と略同じ高さの天井部を有する略水平方向の横引き管路を有する。【選択図】  図１
2006291451.tif 000002
【特許請求の範囲】
【請求項１】
洗浄水タンクに貯留された洗浄水を供給して洗浄する水洗大便器であって、
洗浄水を吐出させるジェット孔が底部に開設されたボウル部と、
サイホン作用を発生させ前記ボウル部内の溜水を排水経路へ排出するため、前記ボウル部の底部に開設されたトラップ入口と前記排水経路とを連通して山形状に配管されたトラップ管路と、
前記ジェット孔に供給する洗浄水を貯留するジェット用洗浄水タンクと、
前記ジェット孔への洗浄水の供給、停止を行うため前記ジェット用洗浄水タンクに設けられたジェット用排水弁と、
前記ジェット用排水弁を通過した洗浄水を前記ジェット孔に導くジェット用導水路と、
を備え、
前記ジェット用導水路は、前記ジェット用排水弁の直下に設けられた立下管路と、前記立下管路と連通された略水平な横引き管路とを有し、
前記横引き管路の内周面の天井部を前記トラップ入口の上端部以下の低い位置に配置したことを特徴とする水洗大便器。
【請求項２】
前記ジェット用導水路内に空気が貯留するのを防止するため、前記ジェット導水路の内周面の天井部を洗浄水の流動方向に沿って凹凸のない連続面で形成したことを特徴とする請求項１記載の水洗大便器。
【発明の詳細な説明】
【技術分野】
【０００１】
本発明は、洗浄水タンクに貯留された洗浄水を供給して洗浄を行う水洗式の大便器に関する。
【背景技術】
【０００２】
水洗式の大便器においては、従来、ボウル部洗浄および汚物排出を速やかに行うためジェット孔を備えたサイホン式のものが採用されている（例えば、特許文献１参照。）。特許文献１記載の水洗式大便器は、図７に示すように、洗浄水タンク６１と便器本体６０とを一体とすることにより、その高さ寸法を小さくしたものである。洗浄水タンク６１には、排水弁６１ａと、リム通水路６０ｂへ流路を接続したリム給水管６１ｂとが組み込まれている。そして、洗浄水タンク６１の底部に配設した排水弁６１ａの直下からジェット孔６０ｇに洗浄水を導くためジェット水流路６０ｄが配設されている。ジェット水流路６０ｄは略水平な横引き管状に形成され、その天井部の高さ位置Ａは、ボウル部６０ａの初期溜水位置ＷＬより低い位置であり、ジェット水流路６０ｄの底部の高さ位置Ｂはトラップ入口Ｘの上端部位置Ｙよりも高い位置に配置されている。
【０００３】
使用者が所定の洗浄操作を行うと、排水弁操作機構（図示せず）により排水弁６１ａが上方に引き上げられて開放状態となり、洗浄水タンク６１内の洗浄水がジェット水流路６０ｄ内に流入し、ジェット孔６０ｇから洗浄水が吐出される。そして、トラップ部６０ｃ内に洗浄水が充満してサイホン作用が発生し、これによってボウル部６０ａ内の汚物が洗浄水と共にトラップ部６０ｃを経由して排水経路（図示せず）へ排出される。
【０００４】
トラップ部６０ｃ内においてサイホン作用が発生することにより、ボウル部６０ａ内の水位が低下してトラップ入口Ｘの上端部Ｙ以下になると、トラップ入口Ｘからトラップ部６０ｃ内へ空気が進入してサイホン作用が消失し、汚物の排出が完了する。その後、ボウル部６０ａ内の水位を初期溜水水位ＷＬまで上昇させるために引き続き洗浄水の供給が行われ、ボウル部６０ａ内の水位が初期溜水位置ＷＬに達すると洗浄水の供給が自動停止される。
【０００５】
【特許文献１】特開平７−１８０２０２号公報
【発明の開示】
【発明が解決しようとする課題】
【０００６】
特許文献１記載の水洗大便器の場合、図７に示すように、サイホン作用が消失した時点のボウル部６０ａ内の水位は、トラップ入口Ｘの上端部Ｙの高さ位置にある。従って、ボウル部６０ａの水位が初期溜水水位ＷＬに復帰するまでに供給すべき洗浄水量は、本来、便器本体６０の洗浄のために必要なボウル部６０ａおよびトラップ部６０ｃに供給する水量の他に、ジェット水流路６０ｄの内容積に相当する体積分の洗浄水、即ち、図７のハッチング領域Ｈ１０に相当する体積分の洗浄水を余分に供給する必要があり、洗浄水の使用量削減を図ることが困難である。
【０００７】
また、特許文献１記載の水洗大便器の製造工程においてジェット水流路６０ｄを形成する場合、図８に示すように、ボウル部６０ａを形成する壁部を利用してジェット水流路６０ｄの一部を形成している。このため、ジェット水流路６０ｄの天井部とボウル部６０ａとの間に、ボウル部６０ａ方向に突出した空洞部６０ｖが存在している。この空洞部６０ｖには、水洗大便器が待機状態にあってボウル部６０ａ内の溜水が初期溜水水位ＷＬを保っている状態においても空気が残留している。このため、洗浄を開始すると、ジェット用水流路６０ｄを経由してジェット孔６０ｇからボウル部６０ａへ排出される洗浄水とともに空洞部６０ｖ内の空気が排出されることがあり、洗浄作用が悪化したり、サイホン作用に悪影響を与えたりすることがある。
【０００８】
本発明が解決しようとする課題は、洗浄終了後、元の初期水位に復帰させるまでに要する給水量の低減を図ることのできる水洗大便器を提供することにある。
【課題を解決するための手段】
【０００９】
本発明の水洗大便器は、洗浄水タンクに貯留された洗浄水を供給して洗浄する水洗大便器であって、
洗浄水を吐出させるジェット孔が底部に開設されたボウル部と、
サイホン作用を発生させ前記ボウル部内の溜水を排水経路へ排出するため、前記ボウル部の底部に開設されたトラップ入口と前記排水経路とを連通して山形状に配管されたトラップ管路と、
前記ジェット孔に供給する洗浄水を貯留するジェット用洗浄水タンクと、
前記ジェット孔への洗浄水の供給、停止を行うため前記ジェット用洗浄水タンクに設けられたジェット用排水弁と、
前記ジェット用排水弁を通過した洗浄水を前記ジェット孔に導くジェット用導水路と、
を備え、
前記ジェット用導水路は、前記ジェット用排水弁の直下に設けられた立下管路と、前記立下管路と連通された略水平な横引き管路とを有し、
前記横引き管路の内周面の天井部を前記トラップ入口の上端部以下の低い位置に配置したことを特徴とする。
【００１０】
このような構成とすれば、横引き管路の内周面の天井部がトラップ入口の上端部以下の低い位置にあるため、ボウル部内の洗浄水が排出されてトラップ管路内のサイホン作用が消失した時点においても、ジェット用導水路の横引き管路内には、トラップ入口の上端部と同じ高さの水位まで洗浄水が残ることとなる。即ち、サイホン消失時点においても、ジェット用導水路の横引き管路内に比較的多くの洗浄水を残留させることができる。従って、洗浄終了後は、ジェット用導水路内において、横引き管路内を除いた、残留洗浄水のない空間部を満たす量だけ洗浄水を供給すればよい。このため、サイホン作用消失後から初期水位に復帰させるまでに要する給水量の低減を図ることができる。
【００１１】
一方、前記ジェット用導水路内に空気が貯留するのを防止するため、前記ジェット導水路の内周面の天井部を洗浄水の流動方向に沿って凹凸のない連続面で形成することが望ましい。このような構成とすれば、洗浄水の流動に伴ってジェット用導水路内に進入した空気が集合する場所がなくなり、ジェット用導水路内に空気が貯留されることもなくなるため、ジェット用導水路内の残留空気に起因する洗浄作用の悪化、サイホン作用への悪影響をなくすことができる。
【発明の効果】
【００１２】
本発明により、水洗大便器において、洗浄終了後、元の初期水位に復帰させるまでに要する給水量の低減を図ることができる。
【発明を実施するための最良の形態】
【００１３】
以下、図面に基づいて、本発明の実施の形態について説明する。図１は本発明の第１実施形態である水洗大便器を示す平面図、図２は図１におけるＡ−Ａ線断面図、図３は図１におけるＢ−Ｂ線断面図、図４は図２におけるＣ−Ｃ線断面図、図５はジェット用導水路に関するその他の実施の形態を示す垂直断面図である。
【００１４】
図１〜図３に示すように、本実施形態の水洗大便器１は、洗浄水を吐出させるジェット孔６が底部の前方に開設されたボウル部２と、サイホン作用を発生させてボウル部２内の溜水を排水経路（図示せず）へ排出するためにボウル部２の底部の後方に開設されたトラップ入口３と排水経路とを連通して山形状に配管されたトラップ管路７と、ボウル部２へ洗浄水を流下させるためにボウル部２の上縁部に設けられたリム部４と、ジェット孔６へ供給する洗浄水を貯留するためのジェット用洗浄水タンク８と、ジェット孔６への洗浄水の供給、停止を行うためジェット用洗浄水タンク８内に設けられたジェット用排水弁９と、ジェット用排水弁９を通過した洗浄水をジェット孔６に導くジェット用導水路１０と、リム部４に供給する洗浄水を貯留するリム用洗浄水タンク１１と、リム部４への洗浄水の供給、停止を行うためにリム用洗浄水タンク１１に設けられたリム用排水弁１２と、リム用排水弁１２を通過した洗浄水をリム部２へ導くリム用導水路１３とを備えている。
【００１５】
これらのボウル部２、リム部４、ジェット孔６、トラップ管路７、リム用洗浄水タンク１１、ジェット用洗浄水タンク８、リム用導水路１３およびジェット用導水路１０は陶器により一体的に形成されている。ボウル部２は、水洗大便器１の前方寄りの部分に形成されており、その上縁部にはリム部４が形成され、その底部には、水洗大便器１の後方に向かって開口したジェット孔６が形成されている。また、ボウル部２の底部において、ジェット孔６の対向位置には、後方に向かって延設されたトラップ管路７と連通するトラップ入口３が開設されている。
【００１６】
リム部４は、ボウル部２の上縁部に、棚状の水路として形成されている。リム部４に供給された洗浄水は、その棚状部４ａに沿って旋回しながらボウル部２の上面を螺旋状に流下していき、最終的にはボウル部２の底部に流れ込むようになっている。トラップ管路７はトラップ入口３を介してボウル部２の底部と連通し、ボウル部２から後方に向かって山形状に延設されている。トラップ管路７は、ボウル部２の底部のトラップ入口３から斜め上方に延設され、トラップ管路７内の最上部である高さＬ２のトラップ頂部７ａを経て、鉛直下方に垂下するように形成されている。トラップ管路７の下端開口部７ｂには、水洗大便器１が設置される床面に配管された排水経路（図示せず）に接続される。
【００１７】
リム用洗浄水タンク１１は水洗大便器１の後方の中央部に形成されている。リム用洗浄水タンク１１は、その底面がリム部４上面の高さＬ１とほぼ等しい高さに配置されている。リム用洗浄水タンク１１の一方の側壁面には、リム用洗浄水タンク１１に供給された洗浄水を、ジェット用洗浄水タンク８に移送するために、高さＬ３の位置に切欠１４が形成されている。リム用洗浄水タンク１１内の水位が高さＬ３よりも高くなると、リム用洗浄水タンク１１の切欠１４から溢れた洗浄水が下方に配置されたジェット用洗浄水タンク８内へ流入するようになっている。
【００１８】
リム用洗浄水タンク１１の底面には、高さＬ１よりも僅かに高い位置にリム用排水弁１２が設けられている。リム用排水弁１２の下側にはリム用導水路１３が形成されており、リム用排水弁１２を通過した洗浄水はリム用導水路１３に流入する。リム用導水路１３は、リム用洗浄水タンク１１の下部から、前方のボウル部２に向かって略水平に延設され、ボウル部２の上縁部後方で左右に分岐するように形成されている。左右に分岐した一方のリム用導水路１３は第１リム吐水口１３ａに連通し、他方のリム用導水路１３は、第２リム吐水口１３ｂに連通している。第１リム吐水口１３ａは、ボウル部２の側部から便器前方に向かって開口しており、第２リム吐水口１３ｂは、第１リム吐水口１３ａと反対側のボウル部２の側後部に、後方に向かって開口している。
【００１９】
ジェット用洗浄水タンク８は、水洗大便器１の後方におけるリム用洗浄水タンク１１の下方に配置されており、ジェット用洗浄水タンク８の容量はリム用洗浄水タンク１１の容量よりも大きく形成されている。ジェット用排水弁９が、ジェット用洗浄水タンク８の下部の、高さＬ１よりも低く、トラップ管路７のトラップ頂部７ａの高さＬ２よりも高い位置に設けられている。また、ジェット用排水弁９は、ジェット孔６に瞬間的に大量の洗浄水を供給するために、リム用排水弁１２よりも大きく形成されている。ジェット用排水弁９の下側に位置するジェット用導水路１０は、ジェット用排水弁９の直下に設けられた立下管路１０ｖと、この立下管路１０ｖと連通する略水平な横引き管路１０ｈとを備えている。ジェット用排水弁１２を通過した洗浄水は、その直下に位置する立下管路１０ｖ内を流下して横引き管路１０ｈ内へ流入し、この横引き管路１０ｈ内を前方に向かって進行した後、ジェット孔６からボウル部２の底部へ排出される。ジェット用導水路１０は、ジェット用排水弁９の直下の立下管路１０ｖから横引き管路１０ｈを経て前方に向かって延設され、後方に向けて開口したジェット孔６に対して、Ｕターンして連通するように形成されている。
【００２０】
また、ジェット用洗浄水タンク８の内部には、給水バルブ１５が配置されている。この給水バルブ１５は、ジェット用洗浄水タンク８内の水位が、リム部４の上面の高さＬ１よりも低く設定されている所定の水位Ｌ４に達するまで、洗浄水を供給するように構成されている。給水バルブ１５には、ジェット用洗浄水タンク８を横断するように、リム用洗浄水タンク１１の上方に延びる給水管１６が接続されている。給水バルブ１５を通過した洗浄水は、給水管１６を通ってリム用洗浄水タンク１１の上方に達し、給水管１６の流出口１６ａからリム用洗浄水タンク１１内に流入する。
【００２１】
また、リム用排水弁１２およびジェット用排水弁９にはそれぞれ玉鎖１２ａ，９ａが接続されている。水洗大便器１の使用者が用便後、所定の洗浄操作を行うと、玉鎖１２ａ，９ａが上方に引き上げられ、リム用排水弁１２およびジェット用排水弁９がそれぞれ開放される排水弁操作機構（図示せず）が設けられている。
【００２２】
次に、図１〜図３を参照して、水洗大便器１の機能について説明する。まず、洗浄操作を行っていない状態においては、図２，図３に示すように、水洗大便器１のボウル部２には、トラップ管路７の頂部７ａの高さＬ２まで洗浄水が溜まっている。また、リム用洗浄水タンク１１には高さＬ３まで洗浄水が貯留され、ジェット用洗浄水タンク８には、高さＬ４の水位まで洗浄水が貯留されている。
【００２３】
次に、水洗大便器１の使用者が所定の洗浄操作を行うと、排水弁操作機構（図示せず）により、各排水弁１２，９に連結された玉鎖１２ａ，９ａがそれぞれ上方に引き上げられ、これにより両方の排水弁１２，９が上方に引き上げられることにより開放状態となる。ここで、ジェット用排水弁９に接続されている玉鎖９ａは、リム用排水弁１２に接続されている玉鎖１２ａよりも長く設定されている。このため、洗浄操作によって玉鎖１２ａ，９ａが同時に引き上げられると、最初にリム用排水弁１２が開放され、その後ジェット用排水弁９が開放される。なお、各排水弁１２，９が解放されるタイミングは、玉鎖１２ａ，９ａの長さ、および排水弁操作機構によって任意に設定することができる。
【００２４】
リム用排水弁１２が開放されると、洗浄水がリム用洗浄水タンク１１からリム用導水路１３に流入し、第１リム吐水口１３ａおよび第２リム吐水口１３ｂからそれぞれ洗浄水が吐出される。これらの吐水口１３ａ，１３ｂから吐出された洗浄水は、リム部４を伝わりながらボウル部２内を旋回し、ボウル部２の露出面を洗浄しながらボウル部２の底部に流れ込む。リム部４からの洗浄水の流れによって、ボウル部２の溜水に浮遊している汚物などがボウル部２の中央部に集められる。
【００２５】
リム用排水弁１２の開放から少し遅れてジェット用排水弁９が開放されると、ジェット用洗浄水タンク８内の洗浄水が、立下管路１０ｖおよび横引き管路１０ｈで構成されるジェット用導水路１０内へ流入し、ジェット孔６から吐出される。リム部４およびジェット孔６からボウル部２に洗浄水が流入し、ボウル部２内の水位が上昇すると、洗浄水はトラップ管路７の頂部７ａを越えて排水経路へ排出される。この流れによってトラップ管路７内に洗浄水が充満するとサイホン作用が発生し、ボウル部２内の底部に沈んでいた汚物およびボウル部２内の中央部に集められた浮遊物が洗浄水とともに吸引され、トラップ管路７を通って排水経路へ排出される。
【００２６】
リム用洗浄水タンク１１内の洗浄水が、開放されたリム用排水弁１２を通って排水され、リム用導水路１３内の洗浄水もなくなると、リム用排水弁１２に浮力が生じなくなるため自重によりリム用排水弁１２が閉じる。次いでジェット用洗浄水タンク８内の洗浄水が、開放されたジェット用排水弁９を通って排水されると、ジェット用排水弁９も自重により閉じる。本実施形態では、ジェット用洗浄水タンク８の容量がリム用洗浄水タンク１１の容量より大きくなっており、ジェット用洗浄水タンク８内の洗浄水が排出されるのに長い時間を要するので、ジェット用排水弁９は、リム用排水弁１２よりも長時間に渡って開放状態を保った後、閉じる。
【００２７】
トラップ管路７内におけるサイホン作用が消失した時点での、ボウル部２内の溜水の水位Ｌ５はトラップ入口３の上端部３ａまで下がっているが、ジェット孔６およびリム部４からボウル部２内に洗浄水が流入するためボウル部２内の水位は徐々に上昇し、図２に示す初期水位Ｌ２に復帰する。また、リム用洗浄水タンク１１およびジェット用洗浄水タンク８には、それぞれ給水バルブ１５を介して水道から新たな洗浄水が供給され、ジェット用洗浄水タンク８およびリム用洗浄水タンク１１の水位がそれぞれ所定水位に達すると給水バルブ１５が閉止され、これによって一連の洗浄過程が終了する。
【００２８】
一方、ジェット用排水弁９が開放され、ジェット用洗浄水タンク８内の水位が低下すると、給水バルブ１５に備えられたフロート１５ａが下降し、給水バルブ１５が開いて給水が開始される。給水バルブ１５が開くと、水道から供給された洗浄水は、給水管１６を通って給水管１６の流出口１６ａから流出し、リム用洗浄水タンク１１内へ流入する。このとき、水道から供給された洗浄水は、まずリム用洗浄水タンク１１に流入するので、この時点では、ジェット用洗浄水タンク８への給水は行われず、ジェット用洗浄水タンク８の水位は上昇しない。
【００２９】
リム用洗浄水タンク１１内の水位が上昇し、高さＬ３に達すると、洗浄水は切欠１４から溢れ出て、リム用洗浄水タンク１１の下方に配置されたジェット用洗浄水タンク８内へ流入する。ジェット用洗浄水タンク８内へ洗浄水が流入し始めると、ジェット用洗浄水タンク８内の水位も上昇し始め、これに伴って、給水バルブ１５のフロート１５ａも上方に移動する。ジェット用洗浄水タンク８内の水位が上昇し、高さＬ４に達すると、給水バルブ１５が閉鎖され、水道からの洗浄水の給水が停止され、１回の洗浄行程が終了する。
【００３０】
このように、給水バルブ１５を介して洗浄水が供給されている間、給水管１６を通る洗浄水のうちの一部は、流出口１６ａから流出せずに、給水管１６の延長部１６ｂに達して、オーバーフロー管１７内へ排出される。オーバーフロー管１７内に入った洗浄水は、ジェット用排水弁９をバイパスしてジェット孔６からボウル部２へ流入する。この洗浄水は、各排水弁９，１２が閉鎖された後、ボウル部２の中の水位を高さＬ２に復帰させるために供される。
【００３１】
本実施形態の水洗大便器１においては、ジェット用導水路１０の一部に略水平方向をなす横引き管路１０ｈを設けるとともに、横引き管路１０ｈの内周面の天井部１０ａの高さをトラップ入口３の上端部３ａと略同じ高さに配置している。従って、トラップ管路７内のサイホン作用が消失したとき、ジェット用導水路１０の横引き管路１０ｈの天井部１０ａ以下の部分に洗浄水が残留することとなる。このため、サイホン作用消失後の水位を初期水位Ｌ２まで復帰させるためには、図２に示すＬ５からＬ２に至るまでのハッチング領域Ｈ１，Ｈ２に相当する水量を補給すればよい。従って、このハッチング領域Ｈ１，Ｈ２は、図７で示した従来の水洗大便器におけるハッチング領域Ｈ１０よりも縮小されることとなり、初期水位Ｌ２に復帰させるまでに要する給水量を大幅に低減することができる。
【００３２】
元の初期水位Ｌ２に復帰させるまでに要する給水量は、水洗大便器のデザインや構造などの違いにより異なるので一概に言えないが、例えば、ＪＩＳ規格によるサイホンジェット式便器に相当する本実施形態の水洗大便器１の場合、サイホン消失後から初期水位Ｌ２まで復帰するのに要する給水量は約１．６リットルであり、図７に示す水洗大便器における給水量が約１．９リットルであるのに比べると、約１６％低減することができる。
【００３３】
一方、本実施形態の水洗大便器１においては、図４に示すように、ジェット用導水路１０の内周面の天井部に平板部材１８を貼着することにより、天井部全体を洗浄水の流動方向に沿って凹凸のない連続面で形成している。このような構成とすれば、洗浄水の流動に伴ってジェット用導水路１０内に進入した空気が集合する場所がなくなり、ジェット用導水路１０内に空気が貯留されることもなくなる。このため、ジェット用導水路１０内の残留空気に起因する洗浄作用の悪化、サイホン作用への悪影響をなくすことができる。
【００３４】
また、前述した残留空気をなくす手段としては、図５に示すようなジェット用導水路１０Ｘとすることもできる。このジェット用導水路１０Ｘは、まず、天井部１０Ｘａおよび左側部１０Ｘｂを形成した後、これらと対向するように断面Ｌ字状の下方部材１０Ｘｃを貼着することによって形成されている。このようなジェット用導水路１０Ｘを形成することにより、前述と同様、残留空気に起因する洗浄作用の悪化、サイホン作用への悪影響をなくすことができる。
【００３５】
次に、図６を参照し、本発明の第２実施形態である水洗大便器２０について説明する。図６は本発明の第２実施形態である水洗大便器を示す垂直断面図である。なお、図６に示す水洗大便器２０において、前述した水洗大便器１と同じ構造、機能を備えた部分については、図１〜図４に示す符号と同じ符合を付して説明を省略する。
【００３６】
図６に示す水洗大便器２０においては、ジェット用洗浄水タンク８からジェット用導水路１０を経由して供給される洗浄水をボウル部２内へ噴出するためのジェット孔２６が、ボウル部２の左側面に設けられるとともに、ジェット孔２６の高さがトラップ入口３より高い位置に配置されている。また、ジェット用導水路１０を構成する略水平方向の横引き管路１０ｈの内周面の天井部１０ａをトラップ入口３の上端部３ａと略同じ高さに配置している。従って、この水洗大便器２０において、サイホン作用が消失した後のボウル部２の底部の溜水を初期水位Ｌ２まで復帰させるのに必要な給水量は、図６に示すハッチング領域Ｈ３，Ｈ４に相当する量である。
【００３７】
図６に示すハッチング領域Ｈ３，Ｈ４と図７に示すハッチング領域Ｈ１０とを比較すると分かるように、水洗大便器２０のような構成とすることにより、サイホン作用が消失した後のボウル部２の底部の溜水を初期水位Ｌ２まで復帰させるのに必要な給水量は、従来の水洗大便器７０に比べ大幅に低減される。
【００３８】
なお、第１，２実施形態の水洗大便器１，２０においては、ジェット用導水路１０を構成する略水平方向の横引き管路１０ｈの内周面の天井部１０ａをトラップ入口３の上端部３ａと略同じ高さに配置しているが、本発明の水洗大便器はこれらに限定するものではないので、トラップ入口３の上端部３ａよりも低い位置に横引き管路１０ｈの内周面の天井部１０ａを配置することも可能であり、その場合においても前述と同様の作用効果を得ることができる。
【産業上の利用可能性】
【００３９】
本発明の水洗大便器は、一般住宅のトイレや公共施設内のトイレなどの設備資材として広く利用することができる。
【図面の簡単な説明】
【００４０】
【図１】本発明の第１実施形態である水洗大便器を示す平面図である。
【図２】図１におけるＡ−Ａ線断面図である。
【図３】図１におけるＢ−Ｂ線断面図である。
【図４】図２におけるＣ−Ｃ線断面図である。
【図５】ジェット用導水路に関するその他の実施の形態を示す垂直断面図である。
【図６】本発明の第２実施形態である水洗大便器を示す垂直断面図である。
【図７】従来の水洗大便器を示す垂直断面図である。
【図８】図７におけるＤ−Ｄ線断面図である。
【符号の説明】
【００４１】
１，２０  水洗大便器
２  ボウル部
３  トラップ入口
３ａ  上端部
４  リム部
４ａ  棚状部
６，２６  ジェット孔
７  トラップ管路
７ａ  頂部
７ｂ  下端開口部
８  ジェット用洗浄水タンク
９  ジェット用排水弁
９ａ，１２ａ  玉鎖
１０，１０Ｘ  ジェット用導水路
１０ａ，１０Ｘａ  天井部
１０ｈ  横引き管路
１０ｖ  立下管路
１０Ｘｂ  左側部
１０Ｘｃ  下方部材
１１  リム用洗浄水タンク
１２  リム用排水弁
１３リム用導水路
１３ａ  第一リム吐水口
１３ｂ  第二リム吐水口
１４  切欠
１５  給水バルブ
１５ａ  フロート
１６  給水管
１６ａ  流出口
１６ｂ  延長部
１７  オーバーフロー管
１８  平板部材
Ｈ１，Ｈ２，Ｈ３，Ｈ４  ハッチング領域
【図１】
2006291451.tif 000003
【図２】
2006291451.tif 000004
【図３】
2006291451.tif 000005
【図４】
2006291451.tif 000006
【図５】
2006291451.tif 000007
【図６】
2006291451.tif 000008
【図７】
2006291451.tif 000009
【図８】
2006291451.tif 000010